(57)【特許請求の範囲】
【請求項１】
剛直な線材よりなるよこ糸（７）と柔軟な繊維糸よりなるたて糸（６）とを筒状に織成してなり、たて糸（６）及びよこ糸（７）が長く連続して浮沈することのない組織で織成された交織部分（８）と、よこ糸（７）が複数のたて糸（６）群に対して連続して長く浮沈する組織で織成された連続浮沈部分（９）とを、周方向に交互に形成し、交織部分（８）と連続浮沈部分（９）との間にたて糸（６）の無い間隙部分（１０）を形成したことを特徴とする、舗道埋設用排水誘導管
【請求項２】
剛直な線材よりなるよこ糸（７）と柔軟な繊維糸よりなるたて糸（６）とを筒状に織成してなり、たて糸（６）及びよこ糸（７）が長く連続して浮沈することのない組織で織成された交織部分（８）と、よこ糸（７）が複数のたて糸（６）群に対して連続して長く浮沈する組織で織成された連続浮沈部分（９）を複数連続して、隣接する連続浮沈部分（９）においてよこ糸（７）の浮沈が逆となるように形成した連続浮沈部分（９）群とを、周方向に交互に形成し、交織部分（８）と連続浮沈部分（９）との間及び、隣接する連続浮沈部分（９）の間に、それぞれたて糸（６）の無い間隙部分（１０，１０’）を形成したことを特徴とする、舗道埋設用排水誘導管
【請求項３】
排水誘導管（５）が、長さ方向に１ｍ当り１回以上捩じれていることを特徴とする、請求項１又は２に記載の舗道埋設用排水誘導管
【発明の詳細な説明】
【０００１】
【発明の属する技術分野】
本発明は舗道内に埋設し、舗道の舗装表層を透過して舗道内に浸入した水を集めて所定の箇所に誘導し、適切に排水するための舗道埋設用排水誘導管に関するものである。
【０００２】
【従来の技術】
従来、高速道路などの舗道の構造として、図１に示すようにコンクリート床版１の上面を防水シート２で覆い、その上に不透水性の基層３を形成し、さらにその基層３の上に透水性を有するアスファルトの表層４を設けた構造が広く用いられている。
【０００３】
そして基層３の両側縁部に沿って排水誘導管５が埋設されており、表層４を透過して浸入した雨水が表層４内を透してその両側縁部に集まり、排水誘導管５を介して所定の箇所に集められて処理されるようになっている。
【０００４】
而してその排水誘導管５としては、内部に水が流れる空所を有し、その壁面は表層４内の水が容易に排水誘導管５内に浸入し得るように水透過性を有する必要があり、また柔軟であり且つ上部からの圧力により容易に圧潰しない程度の剛性を有していることが必要である。
【０００５】
かかる排水誘導管５として、特開平６−２６０１３号公報や特開平８−９３０４１号公報には、金属製スプリングよりなるものが提案されており、また特開平１０−１０３５６６号公報には、スプリングの外側を繊維を編組したチューブで覆った構造のものが示されている。
【０００６】
【発明が解決しようとする課題】
しかしながら金属製スプリングよりなるものでは、敷設の状況によっては部分的にスプリングが伸びて線材の間隔が拡がり、その間から異物が侵入してスムーズな水の流れを阻害する可能性がある。
【０００７】
またスプリングの外側を繊維を編組したチューブで覆った構造のものでは、チューブにおける編組の隙間が目詰まりを起こして水が内部に入りにくくなることがあり、また繊維の編組密度を粗くして隙間を大きくすれば、繊維が目ずれを起こして異物が侵入しやすくなり、適切な大きさの隙間を均一に形成することが困難である。
【０００８】
本発明はかかる事情に鑑みなされたものであって、適切な大きさの隙間を均一に形成し、異物が侵入して水の流れを阻害することもなく、また目詰まりを起こすこともなく、周囲の水を適切に取り込んで排出することのできる排水誘導管を提供することを目的とするものである。
【０００９】
【課題を解決するための手段】
而して本願第一の発明は、剛直な線材よりなるよこ糸と柔軟な繊維糸よりなるたて糸とを筒状に織成してなり、たて糸及びよこ糸が長く連続して浮沈することのない組織で織成された交織部分と、よこ糸が複数のたて糸群に対して連続して長く浮沈する組織で織成された連続浮沈部分とを、周方向に交互に形成し、交織部分と連続浮沈部分との間にたて糸の無い間隙部分を形成したことを特徴とするものである。
【００１０】
また本願における第二の発明は、剛直な線材よりなるよこ糸と柔軟な繊維糸よりなるたて糸とを筒状に織成してなり、たて糸及びよこ糸が長く連続して浮沈することのない組織で織成された交織部分と、よこ糸が複数のたて糸群に対して連続して長く浮沈する組織で織成された連続浮沈部分を複数連続して、隣接する連続浮沈部分においてよこ糸の浮沈が逆となるように形成した連続浮沈部分群とを、周方向に交互に形成し、交織部分と連続浮沈部分との間及び、隣接する連続浮沈部分の間に、それぞれたて糸の無い間隙部分を形成したことを特徴とするものである。
【００１２】
本発明においては、排水誘導管が、それ自体が長さ方向に１ｍ当り１回以上捩じれていることが好ましい。
【００１３】
【発明の実施の形態】
図２は前記第一の発明の排水誘導管５の一形態を示すものであって、この排水誘導管５は、柔軟な繊維糸よりなるたて糸６と、剛直な線材よりなるよこ糸７とを筒状に織成してなる筒状織物よりなっている。
【００１４】
前記よこ糸７として使用される剛直な線材としては、例えばばね性を有する金属線や、プラスチックのブリッスルなどが適しており、その直径は排水誘導管５の径にもよるが、１〜３mm程度が適当である。またたて糸６としては、通常の合成繊維の紡績糸やマルチフィラメント糸、それらの撚糸などの柔軟な糸条を使用することができる。
【００１５】
而して図２において、８は交織部分である。当該交織部分８においては、たて糸６及びよこ糸７は長く連続して浮沈することのない組織で構成されており、図２においては交互に浮沈を繰り返しつつ互いに交差して、織物構造上の平織り組織を形成している。なおこの交織部分８の組織は、平織り組織が最も好ましいが、１／２綾織りなどの組織を使用することもできる。
【００１６】
また９は連続浮沈部分であって、図２においてはよこ糸７は複数のたて糸６に対して内側に長く浮いて組織されている。なおよこ糸７が連続して浮沈するたて糸６の本数は、３〜１０本程度が適当である。
【００１７】
図２に図示されたよこ糸７においては、連続浮沈部分９においてたて糸６の内側に浮いているが、それに隣接するよこ糸７は、同じたて糸６に対して外側に長く浮いて組織され、たて糸６はよこ糸７に対して交互に浮沈を繰り返しており、織物構造上のうね織りの組織を形成している。
【００１８】
そして排水誘導管５の周方向に、交織部分８と連続浮沈部分９とが交互に形成されている。そして交織部分８と連続浮沈部分９との間にたて糸６が存在しない間隙部分１０が形成されている。なおこの間隙部分１０は、織成時にはかかる間隙部分１０を形成するように考慮する必要はなく、間隙部分１０は後発的に形成される。その理由は後述する。
【００１９】
次に図３は前記第二の発明の実施の形態を示すものであって、複数の連続浮沈部分９ａ、９ｂ、９ｃが連続して形成されている。これらの連続浮沈部分９ａ、９ｂ、９ｃにおけるよこ糸７は、図面の上部においては、両端の連続浮沈部分９ａ、９ｃにおいては複数のたて糸６ａ、６ｃ群の外側によこ糸７が浮いており、中央の連続浮沈部分９においては複数のたて糸６ｂ群の内側によこ糸が長く浮いて形成されており、隣接する連続浮沈部分９においてはよこ糸７の浮沈が逆になっている。
【００２０】
そして隣接する連続浮沈部分９の間には、連続浮沈部分９と交織部分８との間に形成される間隙部分１０よりも、より大きい間隙部分１０′が形成される。なお図示されたよこ糸７に隣接するよこ糸７′は、よこ糸７とは浮沈が逆となることは図２において説明したのと同様である。
【００２３】
本発明においては、排水誘導管５に捩じれが形成されていることが好ましい。すなわちたて糸６が排水誘導管５の長さ方向に対して僅かながら角度を有して螺旋状に延びており、間隙部分１０の位置が螺旋状に変化することが好ましいのである。その捩じれの程度は、排水誘導管５の長さ１ｍ当たりに１回以上であることが好ましい。
【００２４】
【作用】
次に本発明の排水誘導管５における構造上の特徴を、図４に従って説明する。図４における（ａ）は図２における一部を拡大して示したものであり、（ｂ）及び（ｃ）は（ａ）におけるＢ−Ｂ断面図及びＣ−Ｃ断面図である。
【００２５】
本発明においては、排水誘導管５はたて糸６とよこ糸７とを筒状に織成してなり、そのよこ糸７は剛直な線材よりなっている。そのため交織部分８においてはよこ糸７はその剛直さのために殆ど屈曲することができず、図４（ａ）及び（ｂ）に示すように、ほゞ直線状に延びるよこ糸７に対して、たて糸６が大きく屈曲して織成されることとなる。
【００２６】
これに対して連続浮沈部分９においては、図２に図示されたよこ糸７に対しては複数のたて糸６が外側にのみ存在して内側には存在しないため、そのよこ糸７は複数のたて糸６の張力により、図４（ａ）及び（ｃ）に示すように内側に偏倚せしめられる。
【００２７】
またこれに隣接するよこ糸７′は、内側に位置する複数のたて糸６の張力により外側に偏倚せしめられ、図４（ｃ）に示すようによこ糸７は一本おきに内外に偏倚し、たて糸６の屈曲の程度は小さくなる。
【００２８】
そして連続浮沈部分９におけるたて糸６は、よこ糸７が内外に偏倚するためにたて糸６のよこ糸７に対する接触方向が排水誘導管５の法線の方向に対して傾斜することとなる。
【００２９】
またよこ糸７は金属線やプラスチックのブリッスルなどの滑らかな材料よりなるので滑りやすく、しかもたて糸６自体は屈曲が少ないので幅方向に圧縮されやすくなっており、たて糸６はよこ糸７に沿って連続浮沈部分９の中央部に向かって滑り、目ずれを生じる。
【００３０】
また交織部分８においても、前記連続浮沈部分９においてよこ糸７が内外に偏倚するので、交織部分８の端部においてよこ糸７に傾斜が生じ、その傾斜に沿ってたて糸６は交織部分８の中央部に向かって偏倚する傾向が生じる。
【００３１】
従って交織部分８と連続浮沈部分９とを交互に形成することにより、たて糸６はそれぞれ交織部分８及び連続浮沈部分９の中央部に向かって偏倚し、その交織部分８と連続浮沈部分９との間のたて糸６に大きな隙間が生じ、間隙部分１０を形成するのである。
【００３２】
また図３の構造においては、両端の連続浮沈部分９ａ、９ｃと中央の連続浮沈部分９ｂとで、たて糸６ａ、６ｃ群とたて糸６ｂ群との浮沈が逆になっているので、よこ糸７の内外への偏倚が中央部と両側部とで逆になる。従って中央部の連続浮沈部分９ｃと両側部の連続浮沈部分９ａ、９ｃとの間におけるよこ糸７の傾斜角度が大きくなり、各連続浮沈部分９におけるたて糸群が隣接する連続浮沈部分９から離れようとする傾向が強くなる。
【００３３】
そのため両端の連続浮沈部分９ａ、９ｃのたて糸６ａ、６ｃは交織部分８から離れようとする傾向よりも中央の連続浮沈部分９ｂから離れようとする傾向の方が強くなり、連続浮沈部分９ａ、９ｃと交織部分８との間に形成される間隙部分１０よりも、より大きな間隙部分１０′が隣接する連続浮沈部分９の間に形成されるのである。
【００３６】
以上述べたように本発明においては、たて糸６とよこ糸７とをかなり緻密に織成し、交織部分８及び連続浮沈部分９において密に織成されていても、たて糸６が側方に滑ることにより相当に大きい間隙部分１０が形成され、その間隙部分１０を通じて大量の水を侵入せしめる。
【００３７】
また本発明において形成される間隙部分１０においては、よこ糸７の間隔は他の部分と変わらず、たて糸６の間隔のみが大きく開くので、周方向に長いスリット状の隙間が形成される。
【００３８】
そのため砂利などの大きな固形物がその隙間を通って排水誘導管５内に侵入することはなく、また小さい粒子により目詰まりを起こすこともなく、流動性を有する水のみがその隙間を通って排水誘導管５内に侵入し、排水誘導管５内を通って所望の箇所に排水することができる。
【００３９】
また排水誘導管５に捩じれを付与することにより、排水誘導管５の長さ方向に向かって間隙部分１０の位置が変化し、表層４内のどの位置に滞留した水も全て排水誘導管５内に取り込んで排水することができる。
【００４０】
【発明の効果】
従って本発明によれば、排水誘導管５に適切な大きさの隙間が均一に形成され、隙間から異物が侵入して水の流れを阻害することもなく、また隙間が目詰まりを起こして水の侵入を阻害することもなく、表層４内に滞留した水を適切に取り込んで、所望の箇所から排出することができるのである。
【００４１】
また特に請求項２の発明によれば、複数の連続浮沈部分９ａ、９ｂ、９ｃにおいて、隣接する連続浮沈部分９間でよこ糸７が逆に浮沈しているので、隣接する連続浮沈部分９におけるたて糸６群が大きく開いて、より大きな隙間を形成し、より多くの水を取り込むことができる。
【００４２】
さらに請求項４の発明によれば、排水誘導管５の長さ方向の位置によって間隙部分１０の位置が異るので、表層４内のあらゆる深さの水も排水誘導管５内に取り込むことができ、表層４内に部分的に水が滞留し、排出されないということがない。
【図面の簡単な説明】
【図１】  排水誘導管を敷設した舗道の横断面図
【図２】  第一の発明の排水誘導管の一例を示す横断面図
【図３】  第二の発明の排水誘導管の一例を示す横断面図
【図４】  図２の排水誘導管の一部を拡大して示すものであって、（ａ）は横断面図、（ｂ）はＢ−Ｂ断面図、（ｃ）はＣ−Ｃ断面図である。
【符号の説明】
５  排水誘導管
６  たて糸
７  よこ糸
８  交織部分
９  連続浮沈部分
１０  間隙部分
【図１】
0004605900.tif 000002
【図２】
0004605900.tif 000003
【図３】
0004605900.tif 000004
【図４】
0004605900.tif 000005